(57)【要約】      （修正有）【課題】弓の練習後、手にかいた汗等の湿気を取り除き、且つ、それぞれの指挿入部に合せて調節し、弓かけの形状を保持させると共に汗の臭いも減少できる弓かけ用形状保持具を提供する。【解決手段】弓かけ用形状保持具は、弓かけ１の親指挿入部１１に挿入すると共に少なくとも吸湿剤を内部に収納した布或いは不織布で形成した親指用形状保持袋２と、指挿入部１２に挿入すると共に少なくとも吸湿剤を内部に収納した布或いは不織布で形成した指用形状保持袋３と、から少なくとも構成する。また親指用形状保持袋２と指用形状保持袋３を一体形成させるのが好ましいが、親指用形状保持袋２を人差し指用の袋３１と中指用の袋３２に分離し、そのままでも良いが、それを紐３３や連結部で連結させたものとしても良い。【選択図】図１
0003235535.tif 000002
【実用新案登録請求の範囲】
【請求項１】
親指を挿入する親指挿入部（11）と、少なくとも人差し指と中指を挿入する指挿入部（12）と、手の甲を覆う弓かけ本体（13）と、掛け紐（14）と、から少なくとも構成する弓かけ（１）に用いるものであって、前記親指挿入部（11）に挿入すると共に少なくとも吸湿剤（４）を内部に収納した布或いは不織布で形成した親指用形状保持袋（２）と、前記指挿入部（12）に挿入すると共に少なくとも吸湿剤（４）を内部に収納した布或いは不織布で形成した指用形状保持袋（３）と、から少なくとも構成したことを特徴とする弓かけ用形状保持具。
【請求項２】
前記親指用形状保持袋（２）と前記指用形状保持袋（３）が、一体形成された請求項１記載の弓かけ用形状保持具。
【請求項３】
前記指用形状保持袋（３）が、人差し指用の袋（31）と中指用の袋（32）袋を連結して形成された請求項１記載の弓かけ用形状保持具。
【請求項４】
前記指用形状保持袋（３）が、人差し指用の袋（31）と中指用の袋（32）に分離して形成された請求項１記載の弓かけ用形状保持具。
【考案の詳細な説明】
【技術分野】
【０００１】
本考案は弓を射る場合に使用する弓かけの指挿入部に挿入して、その弓かけの形状を保持させるために用いるものであり、親指や人差し指及び中指などの指挿入部に挿入する弓かけ用形状保持具に関する。
【背景技術】
【０００２】
一般に弓かけ（ゆかけ）は弓を射る場合に、弦を引く際に右手を保護するためのものである。この弓かけを手に嵌めて弓の練習を行うと、手に汗をかき、弓かけ内部が湿っぽくなる。この結果、練習後に弓かけを放置しておくと、カビが生え、臭気も生じ、柔軟な指部分がへたって平らになる。また固くなった所もへなへなに形崩れする。特に持ち運ぶ際に弓かけの変形がし易かった。
又、練習後は、弓かけの形状を保持するものとしては、親指挿入部に、籐のツルで編んだカゴ状のものを装着させ、通気性を良くさせて湿気を取り除くものもあった。また人差し指や中指などの指挿入部に木片を削って装着するものもあった。
【０００３】
しかしながら、カゴ状のものは市販されているので、手に入り易いが、積極的に吸湿できず、且つ、汗の臭いを消臭することもできなかった。また木片を削って装着するものも市販されているが、この木片のものは、その部分の形状を保持できるが、通気性が極めて悪いので、湿気を取り除くのに時間が多く掛かると共に汗の臭いも生じていた。
【０００４】
尚、「ゆかけ」の提案として、実開昭６１−１１５８９１号があるが、練習後、その形状を保持するための記載がなく、且つ、弓かけの形状を保持して保管させると共に吸湿・消臭させる発想はないものであった。
【先行技術文献】
【特許文献】
【０００５】
【特許文献１】実開昭６１−１１５８９１号公報
【考案の概要】
【考案が解決しようとする課題】
【０００６】
本考案は弓の練習後、手にかいた汗等の湿気を取り除き、且つ、それぞれの指挿入部に合せて調節し、弓かけの形状を保持させると共に汗の臭いも減少できる弓かけ用形状保持具を提供することを目的とする。
【課題を解決するための手段】
【０００７】
本考案は上記現状に鑑みて成されたものであり、つまり、親指挿入部と、指挿入部と、弓かけ本体と、掛け紐と、から少なくとも構成する弓かけに用いるものであって、親指挿入部に挿入すると共に少なくとも吸湿剤を内部に収納した布或いは不織布で形成した親指用形状保持袋と、指挿入部に挿入すると共に少なくとも吸湿剤を内部に収納した布或いは不織布で形成した指用形状保持袋と、から少なくとも構成する。また親指用形状保持袋と指用形状保持袋を一体形成させるのが好ましいが、指用形状保持袋を人差し指用の袋と中指用の袋に分離し、そのままでも良いが、それを紐や連結部で連結させたものとしても良い。
【考案の効果】
【０００８】
請求項１のように弓かけ（１）の親指挿入部（11）に挿入すると共に少なくとも吸湿剤（４）を内部に収納した布或いは不織布で形成した親指用形状保持袋（２）と、弓かけ（１）の指挿入部（12）に挿入すると共に少なくとも吸湿剤（４）を内部に収納した布或いは不織布で形成した指用形状保持袋（３）と、から少なくとも構成することにより、弓の練習後、手にかいた汗等の湿気を取り除き、且つ、それぞれの親指挿入部（11）や指挿入部（12）に合せて調節でき、弓かけ（１）の形状を保持させると共に汗の臭いも減少できる。更に汗等の湿気を取り除くことができるので、従来の如きカビが生える恐れもなくなった。しかも弓かけ（１）を持ち運ぶ際の変形が激減する。更に親指用形状保持袋（２）と指用形状保持袋（３）には柔軟性があるので、弓かけ（１）のサイズや指挿入部（12）の太さ或いは長さに対して容易に対応できる。また親指挿入部（11）や指挿入部（12）の保管状態を使用者の好みの形状、例えば、親指挿入部（11）や指挿入部（12）を曲げた保管状態の形状や、親指挿入部（11）や指挿入部（12）を伸ばした保管状態の形状で保持できる。
【０００９】
請求項２のように親指用形状保持袋（２）と指用形状保持袋（３）を一体形成させることにより、弓かけ（１）の形状保持が容易となり、分離していないので紛失しにくい。また全体の構造が簡単になるので、製作費が安くなる。
【００１０】
請求項３に示すように指用形状保持袋（３）が、人差し指用の袋（31）と中指用の袋（32）を連結して形成されることにより、弓かけ（１）のサイズが異なっても容易に対応できる。
【００１１】
請求項４に示すように指用形状保持袋（３）が、人差し指用の袋（31）と中指用の袋（32）に分離して形成されることにより、弓かけ（１）の指挿入部（12）の長さや太さが異なっても適宜に対応できる。
【図面の簡単な説明】
【００１２】
【図１】本考案の実施形態を示す説明図である。
【図２】本実施形態の親指用形状保持袋と指用形状保持袋の組合せを示す説明図である。
【図３】本実施形態の断面を示す説明図である。
【考案を実施するための形態】
【００１３】
本考案の実施形態を図面に基づいて説明する。（１）は親指を挿入する親指挿入部（11）と、少なくとも人差し指と中指を挿入する指挿入部（12）と、手の甲を覆う弓かけ本体（13）と、掛け紐（14）と、から少なくとも構成する弓かけであり、該弓かけ（１）は、鹿革や人工革などの革製で製作されている。尚、指挿入部（12）としては、人差し指と中指の２本のものに限定されるものではなく、３本のものや４本のものを用いても良い。
【００１４】
（２）は弓かけ（１）の親指挿入部（11）に挿入すると共に後述する吸湿剤（４）と消臭剤（５）を内部に収納した布或いは不織布又は通気性と柔軟性を有した他の物で形成した親指用形状保持袋であり、該親指用形状保持袋（２）の先端側、例えば２０〜７０ｍｍが親指挿入部（11）に挿入し易い大きさに形成し、全体の長さとしては、例えば１００〜２５０ｍｍとし、その後端側が弓かけ本体（13）の下辺近くまで伸ばしたものとしても良い。また後端側の幅としては、例えば３０〜１２０ｍｍ前後が好ましい。又、親指用形状保持袋（２）の形状を図２（ｃ）に示すような略三角形状に形成させても良い。
【００１５】
（３）は指挿入部（12）に挿入すると共に後述する吸湿剤（４）と消臭剤（５）を内部に収納した布或いは不織布又は通気性と柔軟性を有した他の物で形成した指用形状保持袋である。この指用形状保持袋（３）には、人差し指用の袋（31）と中指用の袋（32）とがあり、その太さとしては、例えば５〜３０ｍｍ前後が好ましく、その長さとしては、例えば３０〜１５０ｍｍ前後が好ましい。また人差し指用の袋（31）と中指用の袋（32）を、図２（ａ）に示す連結紐（33）で連結して形成させても良く、図２（ｃ）に示す連結部（34）で一体に連結して形成しても良い。
尚、親指用形状保持袋（２）と指用形状保持袋（３）を図２（ｂ）に示すように一体に形成させても良い。又、親指用形状保持袋（２）と指用形状保持袋（３）の内部に、消臭剤（５）は必ずしも収納しなくても良い。
【００１６】
（４）は親指用形状保持袋（２）と指用形状保持袋（３）の内部に収納した吸湿剤であり、（５）は親指用形状保持袋（２）と指用形状保持袋（３）の内部に収納した消臭剤である。前記吸湿剤（４）と消臭剤（５）は市販されている一般的なものを使用すれば良い。
【００１７】
次に本考案の使用方法について説明する。先ず親指用形状保持袋（２）を親指挿入部（11）に挿入する場合は、親指用形状保持袋（２）の先端が細い方を親指挿入部（11）に挿入して押し込む。この時、先端が細くない袋状のものを使用する場合には、先端を細くなるように中身を後方にずらしてから押し込むと良い。次に指用形状保持袋（３）を指挿入部（12）に挿入する場合は、先ず人差し指用の袋（31）を指挿入部（12）に挿入して押し込み、次に中指用の袋（32）を上記同様に指挿入部（12）に挿入して押し込む。この時も、先端が細くない袋状のものを使用する場合には、先端を細くなるように中身を後方にずらしてから押し込むと良い。
【００１８】
次に本考案の作用について説明する。予め弓かけ（１）を手に嵌めて弓の練習を行うと、手に汗をかき、弓かけ内部が湿っぽくなる。この弓かけ（１）の親指挿入部（11）に親指用形状保持袋（２）を挿入すると共に指挿入部（12）に指用形状保持袋（３）を挿入する。すると、弓かけ（１）の親指挿入部（11）は、親指用形状保持袋（２）によって使用状態に近づくと共に弓かけ本体（13）も親指用形状保持袋（２）の後端側によって使用状態に近づいて保持される。又、弓かけ（１）の２本の指挿入部（12）は、人差し指用の袋（31）と中指用の袋（32）が挿入されて膨らんだ状態で保持し続けられる。
しかも、この時、親指用形状保持袋（２）と人差し指用の袋（31）と中指用の袋（32）の内部には吸湿剤（４）と消臭剤（５）が収納されているため、除湿と消臭ができる。この結果、カビが生えず、臭気も生じなくなると共に、弓かけ（１）の形崩れする恐れがなくなった。従って、弓かけ（１）の持ち運が安心して行える。
【符号の説明】
【００１９】
１  弓かけ
11  親指挿入部
12  指挿入部
13  弓かけ本体
14  掛け紐
２  親指用形状保持袋
３  指用形状保持袋
31  人差し指用の袋
32  中指用の袋
４  吸湿剤
【図１】
0003235535.tif 000003
【図２】
0003235535.tif 000004
【図３】
0003235535.tif 000005